(57)【要約】【課題】スキャナ装置で読み取った画像データを、スキャナ装置自身でモアレ抑制等の画像処理し、ネットワークに接続されたパソコン等に転送する。【解決手段】スキャナ４で読み取った画像データを画像処理ユニット７の空間フィルタ処理部７ａでダイナミックレンジを拡大するようフィルタ処理し、解像度変換第１処理部７ｂで解像度の倍密変換を行う。倍密変換された画像データに対しガンマ補正処理部７ｃでガンマ処理を施し、解像度変換第２処理部７ｄで読み取り時の解像度に戻し、外部転送ユニット９からネットワークに接続されたパソコン等の記憶装置２１に転送する【選択図】　　　　図５
2004112194.tif 000002
【特許請求の範囲】
【請求項１】
電気通信回線に接続可能な画像読取装置であって、該画像読取装置で読み取った所定のダイナミックレンジ及び解像度の原稿データのダイナミックレンジを拡大するように空間フィルタ処理を行う手段と、
ダイナミックレンジが拡大された原稿データの解像度を高密度に変換する手段と、
ダイナミックレンジが拡大され且つ高密度に変換された解像度の原稿データのダイナミックレンジを前記所定のダイナミックレンジに戻すように変換する手段と、
ダイナミックレンジが変換された高密度解像度の原稿データの解像度を前記所定の解像度に戻すように変換する手段と、
前記所定の解像度に戻された解像度の原稿データを送信する手段
を備えたことを特徴とする画像読取装置。
【請求項２】
請求項１記載の画像読取装置において、空間フィルタ処理手段は、予め設定した空間フィルタ係数に基いて空間フィルタ処理後の原稿データの最大階調値を算出し、その値以上に原稿データのダイナミックレンジを拡大することを特徴とする画像読取装置。
【請求項３】
請求項１又は２記載の画像読取装置において、前記所定の解像度に戻された解像度の原稿データを送信する手段は、前記原稿データを圧縮して送信することを特徴とする画像読取装置。
【請求項４】
請求項３記載の画像読取装置において、前記所定の解像度に戻された解像度の原稿データを送信する手段は、前記原稿データを可逆符号化により圧縮して送信することを特徴とする画像読取装置。
【請求項５】
請求項１乃至４のいずれかに記載の画像読取装置において、ガンマ補正処理手段及び／又は階調処理手段を備えたことを特徴とする画像読取装置。
【請求項６】
請求項５記載の画像読取装置において、前記階調処理手段は、ダイナミックレンジが拡大され且つ高密度に変換された解像度の原稿データを２階調の中間調に変換する処理を行うことを特徴とする画像読取装置。
【請求項７】
請求項５記載の画像読取装置において、前記階調処理手段は、ダイナミックレンジが拡大され且つ高密度に変換された解像度の原稿データを所定のしきい値によりダイナミックレンジの最大値と最小値に振り分ける処理と、振り分けた原稿データを２階調の中間調に変換する処理を行うことを特徴とする画像読取装置。
【発明の詳細な説明】
【０００１】
【発明の属する技術分野】
本発明は、電気通信回線に接続可能な画像読取装置であって、読み取った画像データを画像読取装置自身で画像処理し、電気通信回線に接続されたパソコン等の記憶装置に送信する手段を有する画像読取装置に関する。
【０００２】
【従来の技術】
従来、ＬＡＮ、インターネット等の電気通信回線を介してスキャナ等の画像読取装置とパーソナルコンピュータ（以下、パソコンと略称する。）とが接続され、パソコンからの指示に従って画像読取装置で画像を読取り、読み取った画像データをパソコンに転送し、パソコンに搭載された画像処理ソフトで空間フィルタ処理等の画像処理を行っている。そして、パソコンに直結された印刷装置で印刷したり、或いは画像読取装置が印刷装置を備えているときは、前記画像処理した画像データをパソコンから画像読取装置の印刷装置に転送して印刷している。
このため画像読取装置とパソコンの設置場所が離れている場合は、ユーザーは、パソコンが設置されている場所に移動して画像処理をしなければならないという不便があった。
【０００３】
一方、従来、画像読取装置で網点原稿の読み取りを行い、網点原稿を再生しようとすると、再生画像にモアレ（或いはモアレ縞）と呼ばれる濃度ムラが発生し、この濃度ムラが画像品質を劣化させることは良く知られている。このモアレ発生は、原稿の網点周期と画像読み取り時に画素に分解するときのサンプリング周期とが干渉することや、空間フィルタ処理による飽和演算や急峻なガンマ補正処理を行うことに起因している。そこで、モアレを抑制するようにしたデジタル複写機が開示されている（特許文献１参照）。
【０００４】
【特許文献１】特開平５−４１７９３号公報（段落（００２１）、（００２２）、（００２３）、図７）
【０００５】
前記特許文献１に開示されたモアレを抑制するデジタル複写機は、読み取った任意の画像データＤｎに対する仮想サンプリング点の画像データＤ’ｎをいわゆる３次関数補間法により生成し、画像データＤｎとＤ’ｎを合成する。この合成により、例えば、画像データＤｎとＤ’ｎはそれぞれ４００ＤＰＩの分解能があるとすれば、合成した画像データは８００ＤＰＩの分解能を有するので、サンプリング周波数が画像データＤｎ及びＤ’ｎの２倍で読み取ったことに相当し、網点原稿に対するモアレの発生をほとんど無くしている。しかしながら、この仮想サンプリング点の画像データＤ’ｎを生成し元の画像データＤｎと合成する手法では空間フィルタの飽和演算によるモアレは抑制することができなかった。また、モアレの発生を無くした画像データを更に画像処理し、パソコン等に送信することは行っていなかった。
【０００６】
【発明が解決しようとする課題】
本発明は、上述したような状況に鑑みてなされたもので、その第１の目的は、スキャナ等の画像読取装置がＬＡＮ、インターネット等の電気通信回線を介してパソコンと離れて接続されているとき、ユーザーはパソコンの設置場所に移動することなく画像読取装置で読み取った画像データを画像読取装置自身で画像処理することであり、第２の目的は、画像読取装置で読み取った画像データを画像読取装置で画像処理するとき、空間フィルタ処理の飽和演算によるモアレの発生をなくすることである。そして第３の目的は、モアレのない画像データについて画像処理を行いパソコン等に転送するようにすることである。
【０００７】
【課題を解決しようとする手段】
請求項１の発明は、電気通信回線に接続可能な画像読取装置であって、該画像読取装置で読み取った所定のダイナミックレンジ及び解像度の原稿データのダイナミックレンジを拡大するように空間フィルタ処理を行う手段と、ダイナミックレンジが拡大された原稿データの解像度を高密度に変換する手段と、ダイナミックレンジが拡大され且つ高密度に変換された解像度の原稿データのダイナミックレンジを前記所定のダイナミックレンジに戻すように変換する手段と、ダイナミックレンジが変換された高密度解像度の原稿データの解像度を前記所定の解像度に戻すように変換する手段と、前記所定の解像度に戻された解像度の原稿データを送信する手段を備えたことを特徴とする画像読取装置である。
【０００８】
請求項２の発明は、請求項１記載の画像読取装置において、空間フィルタ処理手段は、予め設定した空間フィルタ係数に基いて空間フィルタ処理後の原稿データの最大階調値を算出し、その値以上に原稿データのダイナミックレンジを拡大することを特徴とする画像読取装置である。
【０００９】
請求項３の発明は、請求項１又は２記載の画像読取装置において、前記所定の解像度に戻された解像度の原稿データを送信する手段は、前記原稿データを圧縮して送信することを特徴とする画像読取装置である。
【００１０】
請求項４の発明は、請求項３記載の画像読取装置において、前記所定の解像度に戻された解像度の原稿データを送信する手段は、前記原稿データを可逆符号化により圧縮して送信することを特徴とする画像読取装置である。
【００１１】
請求項５の発明は、請求項１乃至４のいずれかに記載の画像読取装置において、
ガンマ補正処理手段及び／又は階調処理手段を備えたことを特徴とする画像読取装置である。
【００１２】
請求項６の発明は、請求項５記載の画像読取装置において、前記階調処理手段は、ダイナミックレンジが拡大され且つ高密度に変換された解像度の原稿データを２階調の中間調に変換する処理を行うことを特徴とする画像読取装置である。
【００１３】
請求項７の発明は、請求項５記載の画像読取装置において、前記階調処理手段は、ダイナミックレンジが拡大され且つ高密度に変換された解像度の原稿データを所定のしきい値によりダイナミックレンジの最大値と最小値に振り分ける処理と、振り分けた原稿データを２階調の中間調に変換する処理を行うことを特徴とする画像読取装置である。
【００１４】
【発明の実施の形態】
以下、本発明の実施形態に係るスキャナ装置について図面を参照して説明する。
図１は、例えばＬＡＮ等の電気通信回線上に接続された、本発明の実施形態に係るスキャナ装置、及びプリンタ並びにパソコンを示す図であり、図中、ＬＡＮ４０にスキャナ装置１０、及びパソコン２０並びにプリンタ３０が接続されている。スキャナ装置１０は、図２で後述する電気的構成を備えることにより読み取った原稿画像を画像処理する。このために図３で後述する機械的構成を備え原稿画像の読み取りを行う。
【００１５】
図２は、本発明の実施形態に係るスキャナ装置の電気的ブロック構成図であり、図中、ユーザーインターフェースユニット１は、ユーザーがスキャナ装置に対して種々の動作指示を行うための液晶型タッチパネル方式のインターフェースユニット（操作部）、ＣＰＵ２は、ユーザーインターフェースユニット１の指示通りに動作するように後述する各ユニットに制御指示を行う中央処理装置、ＲＯＭ３は、ＣＰＵ２がユーザーインターフェースユニット１から受けた動作指示に従って各ユニットを制御するソフトウエアプログラムを格納する記憶装置、スキャナユニット４は、光学式の原稿読み取り系である。なお、光学式原稿読み取り系には、縮小光学系のＣＣＤや等倍光学系の密着型ＣＣＤが用いられる。
【００１６】
メモリ制御ユニット５は、スキャナユニット４から送られる画像データを一時記憶装置であるＲＡＭ６に記憶させ、次工程の画像処理と速度調整のためのアービトレーションを行う制御ユニット、画像処理ユニット７は、図５乃至図１０で詳述する画像データに空間フィルタ処理やモアレ抑制処理を行う処理ユニット、ＲＡＭ８は、これら処理のために画像データをライン毎に一時的に記憶する装置、そして外部転送ユニット９は、画像処理ユニット７で画像処理を行った画像データを前記パソコン２０に転送する転送ユニットである。また、記憶装置２１は、前記パソコン２０等の記憶装置である。
【００１７】
図３は、本発明の実施形態に係るスキャナユニットの要部説明図であり、図３（Ａ）、（Ｂ）、（Ｃ）は側断面概略構成図、図３（Ｄ）は原稿に対する走査方向を示す図である。
図３において、スキャナユニット４は，実際に画像データを読み取る素子が搭載されている走行体４１、原稿を読み取り位置４５を通過させる原稿搬送路４２、読み取り位置４５の脇に画像データの白レベルの基準となる白基準板４３を有する。白基準板４３は，読み取り光学系のシェーディング補正をする白レベルの基準となる。走行体４１は、読み取り位置４５方向に光を照射するランプ４１ａと，その反射光を受光するＣＣＤなどの受光素子４１ｂからなる。原稿搬送路４２は、読み取り位置のみ搬送路の下側から読み取れるように透明のガラス（コンタクトガラス）４４になっている。
【００１８】
図３（Ａ）は、読み取り光学系がアイドル状態のときを示し、この状態で図２のＣＰＵ２から原稿を読み取りの指示があると、図３（Ｂ）に示すように走行体４１は、白基準板４３の位置に移動し、ランプ４１ａが白基準板４３に光を照射し、白基準板４３より反射した光を受光素子４１ｂが受光する。受光した光学信号は図示しないＣＣＤによりアナログ電気信号に変換され、更にＡ／Ｄ変換され、デジタルの電気信号を生成する読み取り動作が行われる。そして白基準板全体の濃度を読み取り、その数ライン分を白基準データとする白基準板４３の読み取りが終了する。次に原稿の読み取りが開始されると、走行体４１は図３（Ｃ）に示すように原稿読み取り位置４５の下部に移動、停止し、このとき走行体４１の上部を原稿４６が原稿搬送路４２内を一定の速度で通過すると、通過する際に、ランプ４１ａからの光が原稿４６を照射し，原稿４６により反射した光を白基準板の読み取りと同様に受光素子４１ｂで受光する。原稿４６（図３（Ｄ））の先端の角を原稿基準点とすると、図３（Ｄ）にある主走査方向に１ラインずつ読み取られ、原稿４６が移動することにより副走査方向の読み取りを行い、例えば階調度６００ＤＰＩ、８ビット（０〜２５５階調）で原稿４６全体を読み取る。
【００１９】
なお、以上のようにして読み取られた白基準データと画像データを使用して、一例として、次のようなシェーディング補正処理を行い、読み取り光学系の読み取り白レベルの補正を行う。
図４は、白基準データとこのデータに基き生成する補正データを説明する図であり、図中、白基準データは画素毎に平均化処理され、主走査１ライン分の白レベル補正データとして生成する。図４に示されるように任意の数Ｎライン分の白基準データを、主走査方向の画素毎に単純平均化処理しシェーディング補正データとして生成される。こうして生成された１ライン分のシェーディング補正データを基に画像データを１ライン毎にシェーディング補正処理を行う。即ち、受光素子４１ｂの先頭画素から、０，１，…ｎと番号を付け、処理を行う補正前の画像データをＸｋ、補正後の画像データをＸｋ’とし、その画素に対するシェーディング補正データをＳｋとすると、Ｘｋ’　＝　（Ｘｋ　／　Ｓｋ）　×　２５５　（ｋ　＝　０，１，…ｎ）により画像データにシェーディング補正処理を行う。ただし，Ｓｋ＝０　の場合は、Ｘｋ’＝２５５とする。
【００２０】
図１、図２、図３及び図４を参照してスキャナ装置の動作を説明すると、スキャナ装置１０が動作指示待ちのアイドル状態であるとき、ユーザーインターフェイスユニット（操作部）１からユーザーより動作指示が入力されると、ＣＰＵ２に動作指示信号が伝達される。ＣＰＵ２は、ＣＰＵバスを経由してＲＯＭ３に格納されているプログラムを実行し、スキャナユニット４、メモリ制御ユニット５、画像処理ユニット７、外部転送ユニット９に制御信号を伝達する。ＣＰＵ２から制御信号を受信したスキャナユニット４は、図３及び図４で説明した形態で原稿の読み取りを行い、原稿データをメモリ制御ユニット５に転送する。メモリ制御ユニット５は、転送された画像データを一旦ＳＤＲＡＭ等のＲＡＭ６に記憶させ、次ぎの画像処理ユニット７へのデータの転送速度を調節しながら記憶した画像データを読み出し、画像処理ユニット７へ転送する。画像処理ユニット７は、図５乃至図８を参照して後述するように空間フィルタ処理、モアレ抑制処理等の画像処理を行い、画像処理した画像データを外部転送ユニット９に転送する。外部転送ユニット９は、プロセッサ等を使用してソフトウエアにより、或いはＡＳＩＣ等の専用ハードウエアにより転送された画像処理済みの画像データをＬＡＮ等の電気通信回線に接続されたパソコン２０等の記憶装置２１に転送する。
【００２１】
次に、画像処理ユニット７における画像処理について図５乃至図８を参照して詳細に説明する。
図５は、スキャナ装置の要部ブロック構成図であり、図中、画像処理ユニット７の空間フィルタ処理部７ａは、画像のソフト化処理、シャープ化処理、エンボス処理等の処理を行うための例えば３×３マスクからなる空間フィルタをテーブル形式で備え、ユーザーが操作部１から例えばソフト化処理を選択して、画像処理データの外部記憶装置２１への転送を指示すると、ＣＰＵ１は前記テーブルから当該ソフト化処理のための空間フィルタを読み出し、各画素についてソフト化のための演算処理を行い、所定の階調数を算出する。
このときフィルタ係数の設定の仕方により空間フィルタ処理後の画像データのダイナミックレンジ（ｎビット）が入力画像データのダイナミックレンジ（ｍビット）よりも大きく（ｎ＞ｍ）なることがある。このようになると従来は、画像処理のアルゴリズム、そのためのハードウエア構成の都合から、そのままもとのダイナミックレンジに戻すいわゆる丸め込み処理を行っていた。
図６は、横軸をラスタ形式に連続する画像データ、縦軸をビット数で表したときの空間フィルタ処理前（図６（Ａ））と空間フィルタ処理後（図６（Ｂ））の波動変化を示し、空間フィルタ処理後（図６（Ｂ））のダイナミックレンジ（ｎビット）は、空間フィルタ処理前（図６（Ａ））のダイナミックレンジ（ｍビット、ｎ＞ｍ）より大きくなっている状態を示す。この状態でそのままｍビットに丸め込むと、画像データの波動が図６（Ｃ）に示される波動変化のように、立ち上がりの急峻な台形となり、つまり非線形処理を行うことになるためモアレを発生させる要因となっていた。
【００２２】
そこで空間フィルタ処理部７ａは、予め設定された空間フィルタ係数に基いて空間フィルタ処理後の画像データの最大階調値を算出し、その値以上に出力画像データのダイナミックレンジを拡大する。本実施形態では、空間フィルタ処理前のダイナミックレンジは８ビットであるので、演算した最大階調値が例えば１０２４となった場合には、１１ビットのダイナミックレンジに拡大する。そして、このダイナミックレンジの画像データを解像度変換第１処理部７ｂに渡す。
【００２３】
解像度変換第１処理部７ｂは、空間フィルタ処理部７ａから受取った画像データに対し、周知の３次関数補間法などを用いて解像度の変換処理を行う。
図７は、解像度変換を説明するための画素配列図であり、空間フィルタ処理部７ａから受取った原画素Ｇ（図７（Ａ））とその周辺の補間画素Ｇ’（図７（Ｂ））から例えばＧ’ｎ−１、Ｇｎ，Ｇ’ｎ＋１、Ｇｎ＋１・・・の順に画像データを生成し、３次関数補間法を適用して補間画素Ｇ’ｎを求める。
【００２４】
Ｇｎ及びＧ’ｎは、それぞれ６００ＤＰＩの分解能であるとすると、いずれの場合も例えば網点画像に対してはモアレを発生するが、ＧｎとＧ’ｎを合成して考えると１２００ＤＰＩの分解能であり、２倍密の分解能で読み取ったことに相当し、モアレが殆どなくなる。
図８は、横軸をラスタ形式に連続する画像データ、縦軸をビット数で表したときの解像度変換による波動変化を示す図であり、変換前の波動（図８（Ａ））は、変換後２倍密変換された波動（図８（Ｂ））となる。
【００２５】
そしてｎビット（１１ビット）のダイナミックレンジのまま２倍密変換した画像データをｍビット（８ビット）に変換する丸め込みを行う。このように２倍密解像度の画像データの丸め込みを行うので、画像データの波動が図８（Ｃ）の波動変化で示されるように、立ち上がりの緩やか台形になる、つまり線形処理ができるようになるため飽和演算によるモアレの発生を抑制することができる。
【００２６】
２倍密変換され且つ８ビットに丸め込まれた画像データは、ガンマ補正処理部７ｃに渡される。ガンマ補正処理部７ｃは、受取った画像データに対し周知のガンマ補正を行う。このガンマ補正も２倍密解像度の画像データに対して行われるため、多少急峻なガンマ補正がおこなわれても非線形処理によるモアレの発生を抑制することができる。ガンマ補正された画像データは、次に解像度変換第２処理部７ｄの渡される。
【００２７】
解像度変換第２処理部７ｄは、ガンマ補正処理された８ビット、１２００ＤＰＩの画像データに対して平滑フィルタ処理を行い、ダウンサンプリングを行って空間フィルタ処理前の６００ＤＰＩに変換する。
【００２８】
空間フィルタ処理前の解像度に変換された画像データは、外部転送ユニット９からパソコン等の記憶装置２１に転送される。
【００２９】
なお、前記ガンマ補正処理部７ｃは、解像度変換第１処理部７ｂと解像度変換第２処理部７ｄとの間に設置したが、解像度変換第２処理部７ｄと外部転送ユニット９との間に設置しても良い（図９参照）。
【００３０】
本実施形態に係るスキャナ装置によれば、ＬＡＮ４０に接続されたスキャナ装置１０で読取った画像データをスキャナ装置１０側で空間フィルタ処理等の画像処理をし、画像処理された画像データをＬＡＮ４０に接続されたパソコン２０等の外部記憶装置へ転送するので、ユーザーはスキャナ装置１０とパソコン２０が離れた場所に設置されていてもパソコン２０に立ち戻ることなく画像処理することができる。このとき飽和演算及び急峻なガンマ補正に基くモアレの発生を抑制し画質のよい画像データを生成し転送することができる。
なお、急峻なガンマ補正を必要がなく、ガンマ補正処理部７ｃを、解像度変換第２処理部７ｄと外部転送ユニット９との間に設置したときは、ハードウェアの規模を縮小させることが可能である。
【００３１】
また本実施形態に係るスキャナ装置は、以上述べたスキャナ装置の画像処理ユニット７と外部転送ユニット９との間にフォーマット変換部１１を備える。
図１０は、フォーマット変換部を有するスキャナ装置のブロック構成図であり、図１０において、ユーザーが操作部１から画像データの圧縮転送動作を指示すると、ＣＰＵ１は画像処理ユニット７と外部転送ユニット９との間に設けたフォーマット変換部１１に対して圧縮動作を指示する。するとフォーマット変換部１１は、画像データに対して可逆符号化を施し、画像データの容量を圧縮して保持可能な画像フォーマットに変換し、外部転送ユニット９に渡す。可逆符号化によるフォーマット変換は、ＪＰＥＧなどの汎用画像データ圧縮方式を用いても良い。
なお、フォーマット変換部１１は、解像度変換第２処理部７ｄと外部転送ユニット９との間に設置されたガンマ補正処理部７ｃの後に設置してもよい（図１１参照）。
【００３２】
また、ユーザーから前記動作指示がなされたとき、スキャナユニット４及びメモリ制御ユニット４，５、空間フィルタ処理部７ａ、解像度変換第１処理部７ｂ、解像度変換第２処理部７ｄ、ガンマ補正処理部７ｃの各動作は、前記実施形態で述べたものと同じであり、以下に述べる実施形態においても同様である。
【００３３】
本実施形態に係るスキャナ装置によれば、パソコン等の外部記憶装置に画像データを転送する前に、圧縮方式によりデータ圧縮を行うフォーマットに変換するので、モアレ発生を抑制しながら、外部記憶装置への転送速度を高め、外部記憶装置の記憶容量を削減させることができる。汎用画像データ圧縮方式を用いるときは、外部記憶装置において蓄積画像データが扱いやすくなり、画像データのハンドリング性が高まる。
【００３４】
更にまた本実施形態に係るスキャナ装置は、画像処理ユニット７と外部転送ユニット９との間に中間調処理部１２を設ける。
図１２、中間調処理部を有するスキャナ装置のブロック構成図であり、図中、中間調処理部１２は、複数ビットのダイナミックレンジを持つ多値の画像データに対して、周知の誤差拡散法，ディザ法，単純量子化法などの中間調処理（階調処理）を施すことにより、解像度は変えずに１ビット／２階調の画像データに変換する。ユーザーの操作部１からの中間調処理の指示により、前記変換処理が行われ、処理された画像データは外部転送ユニット９から外部記憶装置２１に転送される。
【００３５】
なお、中間調処理部１２は、解像度変換第２処理部７ｄと外部転送ユニット９との間に設置されたガンマ補正処理部７ｃの後に設置してもよい（図１３参照）。
【００３６】
本実施形態に係るスキャナ装置によれば、スキャナ装置が外部記憶装置へ画像データを転送する前に中間調処理（階調処理）を行うので、モアレ発生を抑制した画像データに中間調処理を行うことができる。
【００３７】
更にまた本実施形態に係るスキャナ装置は、画像処理ユニット７の解像度変換第１処理部７ｂと解像度変換第２処理部７ｄとの間に２階調化処理部１３と、画像処理ユニット７と外部転送ユニット９との間に中間調処理部１２を備える。
図１４は、２階調化処理部と中間調処理部を有するスキャナ装置のブロック構成図であり、図中、中間調処理部１２は、前述のように解像度は変えずに１ビット／２階調の画像データ変換を行い、２階調化処理部１３は、解像度変換第１処理部７ｂにより高密度に解像度変換された画像データに対して任意のしきい値により２階調化を行う。このブロックの２階調化は，画像データのダイナミックレンジ内の任意のしきい値によりダイナミックレンジの最大値と最小値に多値データのまま画像データを振り分けて２階調化する。ユーザーが操作部１からこの処理の動作指示を行うと、これらの画像処理が行われ、画像処理された画像データは外部転送ユニット９から外部記憶装置２１に転送される。
【００３８】
本実施形態に係るスキャナ装置によれば、従来、誤差拡散法などの画像データのドットを拡散させて中間調の粒状性向上を重視した中間調処理を行った画像データは，文字認識処理が難しいために、後に文字認識を必要とする画像データに対しては使用されなかったが、誤差拡散法などの中間調処理を行ってもモアレ抑制された画像データを使用するので、単純量子化法などのドットを拡散させない中間調処理と同様の文字認識率が得られるようになる。
【００３９】
【発明の効果】
請求項１，２の発明に対応する効果：スキャナ装置で画像処理が行われるので、画像処理のためにパソコン等に立ち戻る必要がなくなり利便性が向上する。このとき飽和演算に基くモアレの発生を抑制し画質のよい画像データを生成し、パソコン、印刷装置等の外部装置に転送することができる。
請求項３，４の発明に対応する効果：モアレ発生を抑制しながら、外部記憶装置への転送速度を高め、外部記憶装置の記憶容量を削減させることができる。
請求項５，６，７の発明に対応する効果：急峻なガンマ補正によるモアレの発生を抑制することができ、画質のよい階調処理データを得ることができる。
【図面の簡単な説明】
【図１】電気通信回線上のスキャナ装置、プリンタ及びパソコンの接続形態を示す図である。
【図２】本発明の実施形態に係るスキャナユニットの電気的ブロック構成図である。
【図３】本発明の実施形態に係るスキャナユニットの要部断面構成図である。
【図４】白基準データに基き生成する補正データを説明する図である。
【図５】スキャナ装置の要部ブロック構成図である。
【図６】空間フィルタ処理前と処理後の波動変化を示す図である。
【図７】解像度変換を説明するための画素配列図である。
【図８】解像度変換による波動変化を示す図である。
【図９】スキャナ装置の要部ブロック構成図である。
【図１０】スキャナ装置の要部ブロック構成図である。
【図１１】スキャナ装置の要部ブロック構成図である。
【図１２】スキャナ装置の要部ブロック構成図である。
【図１３】スキャナ装置の要部ブロック構成図である。
【図１４】スキャナ装置の要部ブロック構成図である。
【符号の説明】
１・・・・インターフェースユニット　　　６・・・・ＲＡＭ
２・・・・ＣＰＵ　　　　　　　　　　　７・・・・ＲＡＭ
３・・・・ＲＯＭ　　　　　　　　　　　８・・・・ＲＡＭ
４・・・・スキャナユニット　　　　　　　　　　９・・・・外部転送ユニット
５・・・・メモリ制御ユニット。
【図１】
2004112194.tif 000003
【図２】
2004112194.tif 000004
【図３】
2004112194.tif 000005
【図４】
2004112194.tif 000006
【図５】
2004112194.tif 000007
【図６】
2004112194.tif 000008
【図７】
2004112194.tif 000009
【図８】
2004112194.tif 000010
【図９】
2004112194.tif 000011
【図１０】
2004112194.tif 000012
【図１１】
2004112194.tif 000013
【図１２】
2004112194.tif 000014
【図１３】
2004112194.tif 000015
【図１４】
2004112194.tif 000016